(57)【要約】【課題】  天井板の上に天井ボードを保持するための作業や該保持状態を解消するための作業を容易とする天井板用押え機構を提供することを目的とする。【解決手段】  両端に嵌入突部１６，１６が形成された押え部材１５と、天井板１の角部５の両側に突成された係合孔１１，１１を備えた係止縁部１０，１０とを設ける。そして、この嵌入突部１６，１６を係合孔１１，１１に嵌入して、押え部材１５を係止縁部１０，１０間に差し渡すことにより、天井ボード２を天井板１上に保持する。かかる構成により、嵌入突部１６，１６を比較的容易に係合孔１１，１１に係脱でき、天井ボード２を天井板１上に保持するための作業や、該保持状態を解消するための作業を容易かつ効率的に行うことができる。【選択図】図１
2006144395.tif 000002
【特許請求の範囲】
【請求項１】
多角形天井板の上に、該天井板とほぼ同一面形状の天井ボードを保持するものであって、
天井板の角部の両側に突成された係合孔を具備する係止縁部と、両端に係止縁部の係合孔に夫々に嵌入可能な杆状の嵌入突部が形成された押え部材とを備え、該押え部材を、その嵌入突部を各係合孔に嵌入して一対の係止縁部間に差し渡すことにより、天井板上の天井ボードの角部を上方から保持することを特徴とする天井板用押え機構。
【請求項２】
押え部材は、線材から形成されてなり、
天井板の両係止縁部の内側から各係合孔に嵌入する両端の嵌入突部と、
各嵌入突部の内側に連成され、係止縁部に当接して嵌入突部が係合孔に嵌入した状態を保持する嵌合保持部と、
嵌合保持部間に設けられ、一対の係止縁部間に差し渡された場合に、天井板上に配した天井ボードを上方から保持すると共に、前記嵌入突部を係止縁部の係合孔に係脱可能とする面押え部と
を備えたものとする請求項１に記載の天井板用押え機構。
【請求項３】
押え部材は、嵌合保持部を、両端の嵌入突部から天井板の側縁に沿って延びる杆部により構成すると共に、面押え部が、両側の嵌合保持部から連成され、板面方向で、内外方向へ屈曲形成されるＵ形屈曲部を備えるものである請求項２に記載の天井板用押え機構。
【請求項４】
Ｕ形屈曲部の、角端から板面に沿って延びる両側杆部に、上方へ突出するように湾曲する指操作部を備えていることを特徴とする請求項３に記載の天井板用押え機構。
【請求項５】
押え部材は、面押え部を、両側の嵌合保持部間を直線形状としてなるものとする請求項２に記載の天井板用押え機構。
【請求項６】
係止縁部の係合孔を、その側縁に沿うように横長状に形成し、
面押え部に、板面方向で、係合孔よりも角端へ延出するように屈曲する屈曲部を形成し、かつ面押え部の両外側から内方へ延出する杆部に、前記係合孔に内方から嵌入する鈎状の嵌入突部を形成した請求項２に記載の天井板用押え機構。
【請求項７】
角部の両側に設けた係止縁部の角端と反対側で、該係止縁部に近接する位置に、該天井板の側縁に沿った支持溝が形成された支持縁部を突成してなり、
押え部材は、線材から形成され、支持溝間に差し渡されて天井ボードを上方から保持する面押え部と、該面押え部の両端で、天井板の外側で屈曲して天井板の側縁に沿って角端側に延出する保持杆部と、該保持杆部の端縁を内方へ屈曲して形成される嵌入突部とを備えてなり、面押え部の端部を前記支持溝に係合し、嵌入突部を外側から係止縁部の係合孔に嵌入することにより、天井板上に配した天井ボードを上方から保持する状態に取り付けられるものであるとする請求項１に記載の天井板用押え機構。
【請求項８】
角部の両側に設けた係止縁部の角端側の、該係止縁部に近接する位置に、その側縁に沿った支持溝が形成された支持縁部を突成してなり、
押え部材は、線材から形成され、支持溝間に差し渡されて天井ボードを上方から保持する面押え部と、該面押え部の両端で、天井板の外側で屈曲して天井板の側縁に沿って角端と反対側に延出する保持杆部と、該保持杆部の端縁を内方へ屈曲して形成される嵌入突部とを備えてなり、面押え部の端部を前記支持溝に係合し、嵌入突部を外側から係止縁部の係合孔に嵌入することにより、天井板上に配した天井ボードを上方から保持する状態に取り付けられるものであるとする請求項１に記載の天井板用押え機構。
【請求項９】
押え部材は、天井板の角部の側縁に接する保持板縁を備えた板状の面押え板部を、上方に突出するＵ形湾曲突部の両側に夫々連成し、該保持板縁に天井板の係止縁部に形成された係合孔に嵌入する嵌入突部を夫々突設してなるものである請求項１に記載の天井板用押え機構。
【請求項１０】
押え部材は、天井板の角部の側縁に接する保持板縁を備えた板状の面押え板部を、板面方向で天井板の内方へ突出するＵ形湾曲突部の両側に夫々に連成し、該保持板縁に天井板の係止縁部に形成された係合孔に嵌入する嵌入突部を夫々突設してなるものである請求項１に記載の天井板用押え機構。
【発明の詳細な説明】
【技術分野】
【０００１】
本発明は、多角形天井板の上に配設される、該天井板とほぼ同一面形状の天井ボードを保持するための天井板用押え機構に関するものである。
【背景技術】
【０００２】
例えば、図１８に示すように、天井板１は、格子状に組み付けられた天井板用吊持杆ｆに、一区画毎に多数整列状に支持されて、室内の天井を構成するものである。ここで、天井板用吊持杆ｆは、断面がほぼ逆Ｔ字状をなし、その下端に天井板１の側縁を支持する支持部ｇと、その上端にハンガーｊが固着される係止部ｉとを備え、格子状に組み付けられることで、天井板ｐの四辺を成す各側縁を各支持部ｇにより支持するようにした構成が一般的である（例えば、特許文献１）。
【０００３】
このような天井板の上には、断熱作用、防音作用、室内と天井板上の空間との空気の流通を妨げる作用（いわゆる気密性）等を備えた天井ボードが配される。この天井ボードとしては、一般的にグラスウール、岩綿板、石膏ボード等が用いられる。ここで、天井ボードが天井板上からズレてしまうと、該天井ボードの断熱作用や防音作用や気密性が低下する。そのため、天井板の側縁を上方に起立する形状とし、かつ天井ボードを天井板とほぼ同一面形状として、該天井ボードを天井板上に保持するようにしている。しかし、この構成は天井ボードを側方から支持するだけであるため、該天井ボードが上方へズレることを防止できず、天井板から天井ボードが浮いた状態ともなり得る。このため、例えば、天井ボードを、天井板の上面に接着したり、又は、その角部を針金等により固定することにより、該天井ボードが上方へズレることが無いように天井板上に保持している。
【特許文献１】特開２００２−２８５６７５号公報（図１８参照）
【発明の開示】
【発明が解決しようとする課題】
【０００４】
ところで、上述したように、天井ボードが上方へズレないように天井板上に保持するために、該天井ボードを天井板の上面に接着してしまうと、天井ボード又は天井板のいずれか一方が損傷等した場合でも、両者とも取り替えることを要する。さらに、取り付けを誤った場合にも修正することが難しいという問題もある。一方、天井板の上に天井ボードを配置して、その角部を針金等で固定することにより該天井ボードを保持するようにした構成にあっては、該針金を外すことにより、天井ボードと天井板とのいずれか一方のみを交換することも可能である。ここで、具体的には、天井板の角部の両側に孔を設け、この両側の孔間に針金を通して結び、該針金を締め付けることにより、天井板上に天井ボードを押え付けて上方から保持するようにしている。ところが、天井板上に天井ボードをしっかりと押え付けた状態で保持するために、針金を強く締め付けようとすると、該針金により天井ボードを傷つけ易い。また、針金の締付けが弱いと、天井ボードが天井板上で動き易くなり、さらに針金が緩むことともなってしまい、充分な保持作用を発揮できない。このように、針金を適正に締め付けることは難しく、作業者の技術に任せることとなり、天井ボードの保持状態を均一化することができない。また、この針金を締め付ける作業は、作業の繁雑化と作業時間の増加とを生ずることとなり、施工作業だけでなく、メンテナンス作業や取り替え作業時の作業効率も低下するという問題もある。
【０００５】
そこで、本発明は、天井ボードを天井板の上に適正に保持でき、かつ、天井ボードを保持するための作業と該保持を解消する作業とを効率的に行い得る天井板用押え機構を提供することを目的とする。
【課題を解決するための手段】
【０００６】
本発明は、多角形天井板の上に配設される、該天井板とほぼ同一面形状の天井ボードを保持するものであって、天井板の角部の両側に突成された係合孔を具備する係止縁部と、両端に係止縁部の係合孔に夫々に嵌入可能な杆状の嵌入突部が形成された押え部材とを備え、該押え部材を、その嵌入突部を各係合孔に嵌入して一対の係止縁部間に差し渡すことにより、天井板上の天井ボードの角部を上方から保持することを特徴とする天井板用押え機構である。
【０００７】
かかる構成にあっては、天井板上に天井ボードを配し、一対の係止縁部の各係合孔に、押え部材の嵌入突部を嵌入することにより、当該押え部材を係止縁部間に差し渡し、天井ボードが上方へ動くことを防ぎ、天井板上に保持することができるものである。ここで、押え部材は、その嵌入突部を係合孔に嵌入するという比較的容易な作業により、一対の係止縁部間に差し渡して取り付けることができ得る。したがって、天井ボードを天井板上に保持するための作業を簡素化できる。また、嵌入突部を係合孔から離脱させることにより、押え部材を係止縁部から比較的容易に取り外せるため、メンテナンス作業や天井ボード又は天井板の交換作業も容易に行い得る。尚、押え部材の取り付け及び取り外し作業時に、天井ボードが損傷することを防止することもできる。
【０００８】
このような天井板用押え機構にあって、押え部材は、線材から形成されてなり、天井板の両係止縁部の内側から各係合孔に嵌入する両端の嵌入突部と、各嵌入突部の内側に連成され、係止縁部に当接して嵌入突部が係合孔に嵌入した状態を保持する嵌合保持部と、嵌合保持部間に設けられ、一対の係止縁部間に差し渡された場合に、天井板上に配した天井ボードを上方から保持すると共に、前記嵌入突部を係止縁部の係合孔に係脱可能とする面押え部とを備えたものとする構成が提案される。
【０００９】
かかる構成にあっては、押え部材が係止縁部間に取り付けられている場合に、嵌合保持部により、嵌入突部が係合孔に嵌入した状態で保持されることとなるから、非人為的な力により外れてしまうことを防止できる。したがって、面押え部により天井板上に天井ボードを保持した状態を堅持できる。ここで、嵌合保持部は、嵌入突部が係合孔から外れないための、いわゆるストッパの働きをするものである。さらに、押え部材は線材から形成されたものであるから、その面押え部を、両端の嵌入突部の間隔を狭くするように撓ませることも比較的容易である。このため、面押え部を撓ませた状態として、嵌入突部を係合孔に係脱する作業を容易に行うことができ得る。而して、押え部材の取り付け作業及び取り外し作業とを効率的に行うことができる。
【００１０】
ここで、押え部材は、嵌合保持部を、両端の嵌入突部から天井板の側縁に沿って延びる杆部により構成すると共に、面押え部が、両側の嵌合保持部から連成され、板面方向で、内外方向へ屈曲形成されるＵ形屈曲部を備えるものであるとした構成も提案される。
【００１１】
かかる構成にあっては、面押え部を、天井板の側縁に沿って伸びる杆部と連成してＵ形屈曲部を形成してなるものとしたから、当該押え部材を係止縁部に取り付けた場合に、この面押え部は、角部の、係合孔に対して外側（角端側）と内側（角端と反対側）との両側で、天井ボードを上方から支持することとなる。したがって、この押え部材は、その両嵌入突部を支軸として傾動することがなく、天井ボードを安定的に保持できる。さらに、この面押え部は、天井ボードの角部の比較的広い領域を支持することとなり、これによっても天井ボードの保持作用が高まる。また、面押え部は、そのＵ形屈曲部により曲がりバネ作用を発揮し得ることから、両端の嵌入突部を互いの間隔を狭めるように弾性変形させることにより、該嵌入突部を係止縁部の内側から係合孔に容易に係脱することができ得る。したがって、押え部材の取り付け作業及び取り外し作業とを一層容易に行うことができ、この作業効率もさらに高まる。尚、本構成の面押え部にあっては、Ｕ形屈曲部を、内方へ屈曲形成されるものと、外方へ屈曲形成されるものとのいずれか一方を備えるようにしても、両方共備えるようにしても良い。
【００１２】
さらに、このようなＵ形屈曲部の、角端から板面に沿って延びる両側杆部に、上方へ突出するように湾曲する指操作部を備えている構成も提案される。この指操作部は、作業者が指を引っ掛ける等することにより、当該Ｕ形屈曲部による曲がりバネ作用を利用して、両端の嵌入突部を係合孔に係脱できるようにしたものである。したがって、当該押え部材を係止縁部に取り付ける作業と取り外す作業とを一層容易に行うことができる。
【００１３】
また、上述した押え部材は、面押え部を、両側の嵌合保持部間を直線形状としてなるものとする構成が提案される。かかる構成にあっても、面押え部を湾曲させるように撓ませることにより、両端の嵌入突部を係合孔に係脱でき、当該押え部材を係止縁部間に取り付ける作業と取り外す作業とを容易に行うことができ得る。また、面押え部を直線形状とすることにより、当該押え部材を低コストで製造できるという優れた利点もある。尚、本構成にあって、直線形状の面押え部を比較的長く形成するように、角端よりできるだけ内側に係止縁部を形成することにより、天井ボードの保持作用を高めることができ、好適な構成として用い得る。
【００１４】
さらにまた、上述した係止縁部の係合孔を、その側縁に沿うように横長状に形成し、面押え部に、板面方向で、係合孔よりも角端へ延出するように屈曲する屈曲部を形成し、かつ面押え部の両外側から内方へ延出する杆部に、前記係合孔に内方から嵌入する鈎状の嵌入突部を形成した構成も提案される。
【００１５】
かかる構成にあっては、面押え部の両端から延びる杆部を、互いに内方へ変位させることにより、嵌入突部を内側から係合孔に容易に係脱することができる。ここで、本構成の押え部材は、天井板の内側から角端に向かってスライドさせることによっても、鈎状の嵌入突部を係合孔に嵌入させることができる。したがって、押え部材を係止縁部間に一層容易に取り付けることができ得る。また、角端へ延出する屈曲部が形成された面押え部と、内方へ延出する杆部とにより、天井ボードを保持するようになっていることから、当該押え部材は、傾動することもなく安定的に保持できると共に、角部の比較的広い領域で天井ボードを支持できるため、該天井ボードの保持作用に優れる。
【００１６】
一方、上述した天井板用押え機構にあって、角部の両側に設けた係止縁部の角端と反対側で、該係止縁部に近接する位置に、その側縁に沿った支持溝が形成された支持縁部を突成してなり、押え部材は、線材から形成され、支持溝間に差し渡されて天井ボードを上方から保持する面押え部と、該面押え部の両端で、天井板の外側で屈曲して天井板の側縁に沿って角端側に延出する保持杆部と、該保持杆部の端縁を内方へ屈曲して形成される嵌入突部とを備えてなり、面押え部の端部を前記支持溝に係合し、嵌入突部を外側から係止縁部の係合孔に嵌入することにより、天井板上に配した天井ボードを上方から保持する状態に取り付けられる構成が提案される。又は、角部の両側に設けた係止縁部の角端側で、該係止縁部に近接する位置に、その側縁に沿った支持溝が形成された支持縁部を突成してなり、押え部材は、線材から形成され、支持溝間に差し渡されて天井ボードを上方から保持する面押え部と、該面押え部の両端で、天井板の外側で屈曲して天井板の側縁に沿って角端と反対側に延出する保持杆部と、該保持杆部の端縁を内方へ屈曲して形成される嵌入突部とを備えてなり、面押え部の端部を前記支持溝に係合し、嵌入突部を外側から係止縁部の係合孔に嵌入することにより、天井板上に配した天井ボードを上方から保持する状態に取り付けられる構成も提案される。
【００１７】
かかる両構成にあっては、支持縁部を、角縁の両側の、係止縁部に対して角端側又は反対側に設け、該支持縁部の支持溝と係止縁部の係合孔とにより押え部材を取り付けるようにしたものであるから、当該押え部材が非人為的な力により外れることを防止でき、この取り付け状態を長期にわたって堅持でき得る。したがって、天井ボードを天井板上に保持する作用も高い。ここで、押え部材は、面押え部と嵌入突部との間に形成された保持杆部により、該嵌入突部を係合孔に比較的容易に係脱することができる。したがって、押え部材の取り付け作業と取り外し作業とを効率的に行うことができる。尚、支持溝は、支持縁部の角端側に形成される構成と、角端と反対側に形成される構成とのいずれとすることもできる。
【００１８】
また、上述した天井板用押え機構にあって、押え部材は、天井板の角部の側縁に接する保持板縁を備えた板状の面押え板部を、上方に突出するＵ形湾曲突部の両側に夫々連成し、該保持板縁に天井板の係止縁部に形成された係合孔に嵌入する嵌入突部を夫々突設してなる構成が提案される。又は、押え部材は、天井板の角部の側縁に接する保持板縁を備えた板状の面押え板部を、板面方向で天井板の内方へ突出するＵ形湾曲突部の両側に夫々に連成し、該保持板縁に天井板の係止縁部に形成された係合孔に嵌入する嵌入突部を夫々突設してなる構成が提案される。
【００１９】
かかる両構成にあっては、板状の面押え板部が、その板面により天井ボードを上方から面支持するようにしたものであるから、安定かつ高い保持作用を発揮できる。さらに、両側の面押え板部間に設けられたＵ形湾曲突部により、当該押え部材が両側の面押え板部の間隔を狭くするように弾性変形することができる。すなわち、このＵ形湾曲突部のバネ作用により、各面押え板部の保持板縁に突成された嵌入突部の間隔も狭くでき、両側の嵌入突部を係合孔に比較的容易に係脱できる。したがって、押え部材の取り付け作業と取り外し作業とを容易かつ効率的に行うことができる。尚、かかる構成の押え部材にあっては、一枚の板材を屈曲加工してなるものが好適に用いられる。
【発明の効果】
【００２０】
本発明の天井板用押え機構は、多角形天井板の上に配設される、該天井板とほぼ同一面形状の天井ボードを保持するものであって、天井板の角部の両側に突成された係合孔を具備する係止縁部と、両端に係止縁部の係合孔に夫々に嵌入可能な杆状の嵌入突部が形成された押え部材とを備え、該押え部材を、その嵌入突部を各係合孔に嵌入して一対の係止縁部間に差し渡すことにより、天井板上の天井ボードの角部を上方から保持するようにした構成であるから、嵌入突部を比較的容易に係合孔に係脱でき、天井ボードを天井板上に保持するための作業や、該保持状態を解消するための作業を容易かつ効率的に行うことができ得る。
【００２１】
上記した押え部材が、線材から形成されてなり、天井板の両係止縁部の内側から各係合孔に嵌入する両端の嵌入突部と、各嵌入突部の内側に連成され、係止縁部に当接して嵌入突部が係合孔に嵌入した状態を保持する嵌合保持部と、嵌合保持部間に設けられ、一対の係止縁部間に差し渡された場合に、天井板上に配した天井ボードを上方から保持すると共に、前記嵌入突部を係止縁部の係合孔に係脱可能とする面押え部とを備えた構成として場合にあっては、天井板上に天井ボードを保持した状態を堅持できる。また、線材からなる面押え部を撓ませることにより、嵌入突部を係合孔に容易に係脱でき、押え部材の取り付け作業及び取り外し作業とを効率的に行うことができる。  
【００２２】
ここで、押え部材は、嵌合保持部を、両端の嵌入突部から天井板の側縁に沿って延びる杆部により構成すると共に、面押え部が、両側の嵌合保持部から連成され、板面方向で、内外方向へ屈曲形成されるＵ形屈曲部を備える構成とした場合にあっては、この面押え部が、傾動することなく天井ボードを安定的に保持できると共に、比較的広い領域を保持できるため、優れた保持作用を発揮できる。また、Ｕ形屈曲部を備えた面押え部の曲がりバネ作用により、当該押え部材の取り付け作業及び取り外し作業とを一層容易かつ効率的に行うことができ得る。
【００２３】
また、このＵ形屈曲部の、角端から板面に沿って延びる両側杆部に、上方へ突出するように湾曲する指操作部を備えている構成とした場合にあっては、作業者がこの指操作部に指を引っ掛ける等して、容易に、当該押え部材を係止縁部に取り付けたり、取り外したりすることができ得る。
【００２４】
また、上述した押え部材は、面押え部を、両側の嵌合保持部間を直線形状としてなる構成とした場合にあっては、面押え部を湾曲させるように撓ませることにより、当該押え部材を係止縁部間に取り付ける作業と取り外す作業とを容易に行うことができる。
【００２５】
また、上述した係止縁部の係合孔を、その側縁に沿うように横長状に形成し、面押え部に、板面方向で、係合孔よりも角端へ延出するように屈曲する屈曲部を形成し、かつ面押え部の両外側から内方へ延出する杆部に、前記係合孔に内方から嵌入する鈎状の嵌入突部を形成した構成にあっては、当該押え部材を、天井板の内側から角端に向かってスライドさせることにより、係止縁部間に取り付けることができる。また、面押え部と内方へ延出する杆部とにより、天井ボードを安定的に保持できる。
【００２６】
一方、角部の両側に設けた係止縁部の角端と反対側で、該係止縁部に近接する位置に、その側縁に沿った支持溝が形成された支持縁部を突成してなり、押え部材は、線材から形成され、支持溝間に差し渡されて天井ボードを上方から保持する面押え部と、該面押え部の両端で、天井板の外側で屈曲して天井板の側縁に沿って角端側に延出する保持杆部と、該保持杆部の端縁を内方へ屈曲して形成される嵌入突部とを備えてなり、面押え部の端部を前記支持溝に係合し、嵌入突部を外側から係止縁部の係合孔に嵌入することにより、天井板上に配した天井ボードを上方から保持する状態に取り付けられる構成が提案される。又は、角部の両側に設けた係止縁部の角端側で、該係止縁部に近接する位置に、その側縁に沿った支持溝が形成された支持縁部を突成してなり、押え部材は、線材から形成され、支持溝間に差し渡されて天井ボードを上方から保持する面押え部と、該面押え部の両端で、天井板の外側で屈曲して天井板の側縁に沿って角端と反対側に延出する保持杆部と、該保持杆部の端縁を内方へ屈曲して形成される嵌入突部とを備えてなり、面押え部の端部を前記支持溝に係合し、嵌入突部を外側から係止縁部の係合孔に嵌入することにより、天井板上に配した天井ボードを上方から保持する状態に取り付けられる構成も提案される。かかる両構成にあっては、支持溝と係合孔とにより押え部材を嵌合することにより、当該押え部材が非人為的な力により外れることを防きぎ、この取り付け状態を長期にわたって堅持でき得る。また、押え部材は、その保持杆部により、該嵌入突部を係合孔に比較的容易に係脱することができるため、押え部材の取り付け作業と取り外し作業とを効率的に行うことができる。
【００２７】
また、押え部材は、天井板の角部の側縁に接する保持板縁を備えた板状の面押え板部を、上方に突出するＵ形湾曲突部の両側に夫々連成し、該保持板縁に天井板の係止縁部に形成された係合孔に嵌入する嵌入突部を夫々突設してなる構成が提案される。又は、押え部材は、天井板の角部の側縁に接する保持板縁を備えた板状の面押え板部を、板面方向で天井板の内方へ突出するＵ形湾曲突部の両側に夫々に連成し、該保持板縁に天井板の係止縁部に形成された係合孔に嵌入する嵌入突部を夫々突設してなる構成も提案される。かかる両構成にあっては、面押え板部がその板面により天井ボードを天井板上に面支持し、安定かつ高い保持作用を発揮できるものである。さらに、Ｕ形湾曲突部のバネ作用により、押え部材の取り付け作業と取り外し作業とを容易かつ効率的に行うことができる。
【発明を実施するための最良の形態】
【００２８】
添付図面に従って本発明の実施例を説明する。
【実施例１】
【００２９】
図１は、本発明にかかる天井板用押え機構により、四角形状の天井板１の上に、該天井板１とほぼ同一な四角面形状の天井ボード２が保持された状態を示すものである。ここで、天井板１の四辺である各側縁は、上方に起立する起立縁３として形成されている（図１（ロ））。そして、この起立縁３は、当該天井板１上に配される天井ボード２を側方から支持する役割を有している。さらに、この起立縁３には、上縁から天井板１の外側へ折曲して延出された支持側縁４が形成されている（図１（イ））。この支持側縁４は、天井ボード２を保持した天井板１を、格子状に組まれた該天井板用吊持杆ｆに配設される場合に、該天井板用吊持杆ｆの支持部ｇ上で支持され、当該天井板１を支えるものである（図１８参照）。尚、この支持側縁４は、天井板１の起立縁３の、後述する係止縁部１０，１０が突成される部位には形成されていない。また、この天井ボード２は、断熱性と防音性とを有するグラスウールからなるものを用いている。さらに、このグラスウールのパネル面に、アルミ箔等を接着して、充分な気密性を発揮できるようにしている。
【００３０】
この天井板１には、図１（ロ）に示すように、その角部５の両側の起立縁３から上方に突出する係止縁部１０，１０が形成されており、両側の係止縁部１０，１０には、互いに対向するように係合孔１１，１１が形成されている。この係合孔１１，１１は、起立縁３に沿って横長形状に孔開されてなるものとしている。ここで、天井ボード２に、板厚方向に圧縮変形可能なグラスウールを使用していることから、起立縁３が、その高さを該天井ボード２の板厚に比して僅かに低くなるように形成されていると共に、係止縁部１０，１０に設けられる係合孔１１，１１は、その孔下端の高さ位置が、天井板１上に配設された天井ボード２の上面位置に比して低い高さ位置となるように設けられている。尚、係止縁部１０，１０及び係合孔１１，１１は、それぞれ両側で、角端６から等距離となる位置に設けられている。
【００３１】
また、本実施例１の天井板用押え機構は、図１のように、上記した天井板１に形成した係止縁部１０，１０と、該係止縁部１０，１０間に差し渡される押え部材１５とから構成される。この押え部材１５は、金属製の線材を屈曲加工することにより、板面方向で、角部５を両側に略二分割する対角線に対して略対称形状に形成されてなる。押え部材１５の両端には、係止縁部１０，１０の係合孔１１，１１に嵌入する嵌入突部１６，１６が、一直線上となるように形成されている。そして、この嵌入突部１６，１６から角端６方向に屈曲し、起立縁３に沿って延びる杆部１８，１８が形成されている。ここで、この杆部１８，１８により、係止縁部１０，１０の内面に当接して該嵌入突部１６，１６を係合孔１１，１１に嵌入した状態に保持する嵌合保持部１７，１７が構成されている。さらに、この杆部１８，１８には、その内縁から天井板１の内方へ屈曲する連成杆部２２、２２が連成されており、この間に、該内方へ突出するように略Ｕ形状に屈曲形成されたＵ形屈曲部１９が連成されている。ここで、この連成杆部２２，２２及びＵ形屈曲部１９とが、本発明の面押え部２０である。尚、この押え部材１５は、Ｕ形屈曲部１９から両端の嵌入突部１６，１６まで、同一面上となるように形成されている。
【００３２】
このような押え部材１５を、図２に示すように、天井板１の係止縁部１０，１０間に取り付ける。天井板１の上に、天井ボード２を配置した後、押え部材１５を、両端の嵌入突部１６，１６の間隔を狭めるように弾性変形させ（図３（イ））、該嵌入突部１６，１６を両側の係止縁部１０，１０の係合孔１１，１１に夫々に嵌入する（図３（ロ））。この時、押え部材１５を、その弾性変形を開放して復元することにより、嵌合保持部１７，１７が係止縁部１０，１０の内面に当接し、嵌入突部１６，１６と係合孔１１，１１との嵌合状態が保持される。尚、ここで、両端の嵌入突部１６，１６は、係止得部１０，１０に対して斜め方向に変位するため、横長形状の係合孔１１，１１に比較的容易に嵌入できることとなっている。
【００３３】
こうして、押え部材１５は、係止縁部１０，１０間に差し渡されるように取り付けられる。そして、押え部材１５は、嵌合保持部１７、１７間の、連成杆部２２及びＵ形屈曲部１９からなる面押え部２０により、天井板１の上に配された断面パネル２を上方から保持する。ここで、係合孔１１，１１は、上述したように、その孔下端が、天井ボード２の上面位置より低くなるように設けていることから、面押え部２０により、該天井ボード２は上方から押さえつけられた状態で保持されることとなる。また、面押え部２０は、板面方向に形成されていることから、該断面パネル２の角部を比較的広い領域で保持できるようになっている。さらにまた、この面押え部２０は、両側の係止縁部１０，１０より角端６側と内側（角端６と反対側）との両側で天井ボードを保持するように配設されることから、当該押え部材１５が、両端の嵌合保持部１７，１７を支点として傾動することもなく、天井ボード２を安定的に保持することができる。
【００３４】
一方、天井ボード２と天井板１とを分離する場合には、押え部材１５を、両端の嵌入突部１６，１６の間隔を狭めるように弾性変形させ、係合孔１１，１１から嵌入突部１６，１６を離脱させることにより、係止縁部１０，１０から取り外す。これにより、天井ボード２の保持状態を解消できる。
【００３５】
このような実施例１の天井板用押え機構にあっては、押え部材１５を係止縁部１０，１０間に差し渡すように取り付けることにより、該押え部材１５が係止縁部１０，１０間に固持され、天井板１上に配した天井ボード２を上方から保持できる。このため、天井ボード２を配した天井板１は、格子状に組まれた天井板吊持杆ｆに配設されて室内の天井を構成した場合に、該天井ボード２が天井板１からズレることもなく、本来の断熱性を充分に発揮できる。さらに、この押え部材１５は、その面押え部２０の形態による曲がりバネ作用により、両端の嵌入突部１１，１１を係止縁部１０，１０の係合孔１１，１１に嵌入又は離脱することを容易に行い得る。したがって、天井ボード２を保持する作業や、天井板１と分離する作業を簡素化でき、これら作業効率を向上でき得る。さらには、この押え部材１５の取り付け作業及び取り外し作業時に、天井ボード２を損傷してしまうことも防止できる。
【００３６】
ところで、上述した実施例１の押え部材にあって、図３に示すように、指操作部１４を設けるようにした構成とすることもできる。かかる構成の押え部材１５ａは、面押え部２０ａを構成するＵ形屈曲部１９ａの、角端６から天井板１の内方に向かって板面に沿って延びる両側杆部２１ａ，２１ａに、上方へ突出するように湾曲する指操作部１４を形成してなるものである。この指操作部１４は、作業者が指等で持ち易く、また、指を引っ掛けることにより、当該押え部材１５ａを係止縁部１０，１０に取り付けたり取り外したりする作業を一層容易に行うことができる。
【００３７】
また、上述した実施例１の押え部材にあって、図４（イ）に示すように、両端の嵌入突部１６ｂ，１６ｂを、嵌合保持部１７，１７から略直角に屈曲してなるものとする構成とすることもできる。かかる構成の押え部材１５ｂにあっては、天井板１の起立縁３に沿って延成される杆部１８，１８により構成される嵌合保持部１７，１７の両端から、該起立縁３に略直交するように外方へ屈曲されてなる、嵌入突部１６ｂ，１６ｂが形成されている。さらに、天井板１の起立縁３から上方に突成された係止縁部１０ｂ，１０ｂには、略円形の係合孔１１ｂ、１１ｂが形成されている（図４（ロ）参照）。そして、押え部材１５ｂは、両端の嵌入突部１６ｂ，１６ｂが係合孔１１ｂ，１１ｂに嵌入されて、係止縁部１０ｂ，１０ｂ間に差し渡されて取り付けられる。
【実施例２】
【００３８】
実施例２の天井板用押え機構として、図５に示される構成が提案される。尚、上述した実施例１と共通する部分には同じ符号を付して説明を省略する。
【００３９】
天井板１には、図５（ロ）のように、上述した実施例１と同様の係止縁部１０，１０と係合孔１１，１１とが形成されている。尚、実施例２の係止縁部１０，１０は、実施例１に比して、角端６から離れた位置に設けている。
【００４０】
一方、本実施例２の押え部材２５は、上述した実施例１と同様に、金属製の線材を、同一面方向（板面方向）に屈曲加工することにより形成されている。この押え部材２５には、図５（イ）に示すように、その両端に、係合孔１１，１１に嵌入する嵌入突部２６，２６が、一直線上となるように形成されている。この嵌入突部２６，２６の内側に、略板面方向に膨らむ扁平形状に形成した嵌合保持部２７，２７が連成されており、該嵌合保持部２７，２７が係合孔１１，１１の孔縁部分に当接することにより、嵌入突部２６，２６と係合孔１１，１１との嵌合状態を保持するようになっている。そして、この嵌合保持部２７，２７から、嵌入突部２６，２６間を結ぶ直線上から天井板の角端６方向へ傾斜する杆部２８，２８が連成されており、該杆部２８，２８間に、その内縁から天井板１の内方へ屈曲し、内方へ突出するＵ形屈曲部３２が連成されている。この押え部材２５は、板面方向で、角部５を二等分する対角線に対して略対称形状に形成されている。尚、杆部２８，２８及びＵ形屈曲部３２により、本発明の面押え部２９が構成されている。
【００４１】
このような押え部材２５を、天井板１上に天井ボード２を配した後に、両端の嵌入突部２６，２６を係合孔１１，１１に嵌入することにより、係止縁部１０，１０間に差し渡すようにして取り付ける。こうして、天井ボード２を天井板１上に上方から保持する。ここで、押え部材２５を取り付ける場合には、Ｕ形屈曲部３２，３２による曲がりバネ作用により、面押え部２９を、両端の嵌入突部２６，２６間を狭めるように弾性変形して、該嵌入突部２６，２６を係合孔１１，１１に嵌入する。また、押え部材２５を取り外す場合にあっても、同様に、嵌入突部２６，２６間を狭めるように弾性変形して、係合孔１１，１１から離脱する。ここで、押え部材２５は、図５（ロ）のように、Ｕ形屈曲部３２を略鉛直状となるようにして、杆部２８，２８により、天井ボード２を下方に押し付けるようにして、その嵌入突部２６，２６を係合孔１１，１１に嵌入し、その後、傾倒して、面押え部２９が全体的に天井ボード２を上方から保持するようにして取り付けることもできる。同様にして取り外すこともできる。このように、Ｕ形屈曲部３２を持って取り外し及び取り付け作業を行い易く、優れた作業性を発揮でき得る。
【００４２】
このように本実施例２にあっても、上述した実施例１と同様に、押え部材２５の取り付け作業および取り外し作業を容易かつ適正に行うことができ、高い作業効率を発揮し得るものである。このように、本実施例２の天井板用押え機構は、上述した実施例１と同様の作用効果を発揮することができるものである。さらに、この押え部材２５の面押え部２９は、上述した実施例１に比して、天井ボード２と密に接触することとなるため、天井ボード２の保持作用が向上するという優れた利点も有する。
【実施例３】
【００４３】
実施例３の天井板用押え機構として、図６に示される構成が提案される。尚、上述した実施例１と共通する部分には同じ符号を付して説明を省略する。
【００４４】
ここで、天井板１には、図６（ロ）のように、上述した実施例１と同様の係止縁部１０，１０が形成され、該係止縁部１０，１０には、横長形状の係合孔１１，１１が形成されている。尚、実施例３の係止縁部１０，１０は、実施例１に比して、角端６から離れた位置に設けている。
【００４５】
また、押え部材３５は、図６（イ）のように、金属製の線材を略直線形状に形成してなり、両端に嵌入突部３６，３６が形成されている。この嵌入突部３６，３６の内側に、略板面方向に膨らむ扁平形状に形成した嵌合保持部３７，３７が連成されている。この嵌合保持部３７，３７が、係止縁部１０，１０の内面の、係合孔１１，１１の孔縁部分に当接することにより、嵌入突部３６，３６と係合孔１１，１１との嵌合状態を保持するようになっている。さらに、嵌合保持部３７，３７間が略直線形状の面押え部３９となっている。
【００４６】
この押え部材３５を、天井板１上に天井ボード２を配した後に、両端の嵌入突部３６，３６を係合孔１１，１１に嵌入することにより、係止縁部１０，１０間に取り付ける。ここで、押え部材３５を取り付ける場合には、面押え部３９を湾曲するようにして撓ませて、両端の嵌入突部３６，３６を係合孔１１，１１に嵌入する。一方、押え部材３５を取り外す場合も同様に、面押え部３９を撓ませて、係合孔１１，１１から嵌入突部３６，３６を離脱する。尚、この取り付け及び取り外し作業にあって、係合孔１１，１１が横長形状に形成されていることにより、嵌入突部３６，３６を当該係合孔１１，１１に容易に嵌入及び離脱できるようになっている。このように本実施例３にあっても、上述した実施例１と同様、押え部材３５の取り付け及び取り外し作業を容易かつ効率的に行うことができる。また、上述したように、角端６から比較的離れた位置に係止縁部１０，１０を設け、該係止縁部１０，１０間に、押え部材３５を差し渡すようにしていることから、略直線形状とした面押え部３９にあっても、天井ボード２を、天井板１上に上方から押え付けるようにして適切に保持することができる。そして、この押え部材３５は、線材を直線形状に成形してなるものであるから、この製造が容易であり、低コストで製造できるという優れた利点もある。
【００４７】
このような実施例３にあって、押え部材の嵌合保持部を異なる形状とすることもできる。例えば、図７のように、押え部材３５ａの嵌合保持部３７ａ，３７ａを、互いに同一面方向に突出する湾曲形状とする。この嵌合保持部３７ａ，３７ａが、係止縁部１０，１０の内面の、係合孔１１，１１の孔縁部分に当接することにより、嵌入突部３６，３６と係合孔１１，１１との嵌合状態を保持するようになっている。また、この嵌合保持部３７ａ，３７ａは、その両端の嵌入突部３６，３６を支点として傾動することができるため、板面方向に対して上方に傾いた状態とすれば、ここに作業者が指等を引っ掛けて、当該押え部材３５ａの取り付け及び取り外し作業を一層容易に行うこともできる。この場合、この嵌合保持部３７ａ，３７ａは指操作部となる。また、この嵌合保持部３７ａ，３７ａを板面方向に沿った状態とすることにより、天井ボード２の保持作用を高めることもでき得る。
【００４８】
さらに別の構成として、押え部材の、直線形状の面押え部にＵ形屈曲部を形成した構成とすることもできる。例えば、図８のように、押え部材３５ｂは、両端の嵌入突部３６，３６から、角端６側へ湾曲する形状の嵌合保持部３７ｂ，３７ｂを連成し、該嵌合保持部３７ｂ，３７ｂ間に形成されている直線状の面押え部３９ｂに、内方へ突出するＵ形屈曲部４２が連成されてなる。この押え部材３５ｂは、Ｕ形屈曲部４２の曲がりバネ作用により、嵌入突部３６，３６を係合孔１１，１１に嵌入し易くなっている。また、Ｕ形屈曲部４２により、天井ボード２の保持作用が向上する。
【実施例４】
【００４９】
実施例４の天井板用押え機構として、図９、図１０に示される構成が提案される。尚、上述した実施例１と共通する部分には同じ符号を付して説明を省略する。
【００５０】
ここで、天井板１には、図９（ロ）のように、角部５の両側の起立縁３に係止縁部５０，５０が形成され、該係止縁部５０，５０には、横長形状の係合孔５１，５１が形成されている。この係止縁部５０，５０及び係合孔５１，５１は、実施例１に比して、横長く形成され、かつ角端６から離れた位置に形成されている。尚、係止縁部５０，５０及び係合孔５１，５１は、上述した実施例１と同様、それぞれ両側で、角端６から等距離となる位置に設けられている。また、この係合孔５１，５１は、その孔下端の高さ位置が、天井板１上に配設された天井ボード２の上面位置より低い高さ位置となるように設けられている。これにより、上述した実施例１と同様、後述する押え部材４５は、その面押え部４９により、該天井ボード２を上方から押さえつけるようにして保持する。
【００５１】
また、押え部材４５は、図９（イ）のように、面押え部４９が、板面方向で、係合孔５１，５１よりも角端へ突出するように屈曲形成された屈曲部５２と、該屈曲部５２の両端縁から両側の起立縁３，３に向かって延成された連成杆部５３，５３とにより構成されている。さらに、この連成杆部５３，５３の両端から、起立縁３，３に沿って角端６と反対方向に延びる杆部４８，４８が連成されている。そして、この杆部４８，４８の外側端から天井板１の内方へ延出する延出杆部５４，５４が設けられており、この延出杆部５４，５４の内側部位に、係合孔５１，５１に嵌入する鈎状の嵌入突部４６，４６が設けられている。ここで、嵌入突部４６，４６は、板面方向で、係止縁部５０，５０に対して、角端方向に傾斜し、反対側で略直交する鈎形状となるように屈曲形成されている。また、当該押え部材４５は、前記した起立縁３，３に沿った杆部４８，４８と嵌入突部４６，４６の外側縁部位とにより、係止縁部５０，５０に当接し、これら当接する部位により本発明にかかる嵌合保持部４７，４７が構成されている。尚、本実施例４の押え部材４５も、金属製の線材から形成されており、板面方向で、天井板１の対角線に対して略線対称となる構成となっている。
【００５２】
この押え部材４５は、天井板１上に天井ボード２を配した後に、両側の延出杆部５４，５４の端縁を内方へ変位させ、両側の嵌入突部４６，４６を係合孔５１，５１に嵌入することにより、係止縁部５０，５０間に差し渡されて取り付けられる。又は、押え部材４５を、図１０のように、天井ボード２上を、天井板１の内側から角端６方向にスライドさせることによっても、該係止縁部５０，５０間に取り付けることができる。すなわち、押え部材４５を、その屈曲部５２を角端６方向を向くようにして、天井ボード２上に置き、角端６に向けてスライドさせる。このスライドによって、押え部材４５は、その鈎状の嵌入突部４６，４６が係止縁部５０，５０に接触すると、内方へ押圧されるととなり、該嵌入突部４６，４６間を狭めるように弾性変形する。そして、嵌入突部４６，４６が係止孔５１，５１に達すると、この弾性変形が開放されて該係合孔５１，５１に嵌入し、当該押え部材４５が係止縁部５０，５０に取り付けられる。一方、この押え部材４５を取り外す場合にあっては、延出杆部５４，５４の端縁を内方へ押し込むことにより、係合孔５１，５１から嵌入突部４６，４６を離脱させる。尚、この押え部材４５は、鈎状の嵌入突部４６，４６が係合孔５１，５１に嵌入していることから、角端６と反対方向へスライドして取り外すことはできない。
【００５３】
本実施例４の押え部材４５にあっては、係止縁部５０，５０に取り付けられた場合に、その面押え部４９が係止縁部５０，５０より角端６側に配され、延出杆部５４，５４が角端６と反対側に配されることとなる。このため、係合孔５１，５１に対して角端６側と天井板１の内側とにより、天井ボード２を安定して保持することができる。また、この押え部材４５は、上記のように天井ボード２上をスライドさせることにより取り付けることができるため、この取り付け作業を一層容易に行い得る。このように本実施例４にあっても、押え部材４５の取り付け作業および取り外し作業を容易かつ適正に行うことができ、高い作業効率を発揮し得るものである。
【実施例５】
【００５４】
実施例５の天井板用押え機構として、図１１、図１２に示される構成が提案される。尚、上述した実施例１と共通する部分には同じ符号を付して説明を省略する。
【００５５】
天井板１には、図１１（ロ）のように、略円形の係合孔６１，６１が形成された係止縁部６０，６０が、角部５の両側の起立縁３，３から上方へ突成されている。さらに、この係止縁部６０，６０の、角端６と反対側に、起立縁３，３から上方へ突成するように支持縁部６２，６２が設けられており、この支持縁部６２，６２には、その角端６側に、起立縁３に沿った支持溝６３，６３が形成されている。尚、係止縁部６０，６０と支持縁部６２，６２とは、夫々に近接し、かつ、角部５の両側で、それぞれが角端６から等距離となる位置に設けられている。
【００５６】
また、押え部材５５は、図１１（イ）のように、略直線形状に形成され、その両端縁で支持溝６３，６３に係合される面押え部５９と、該面押え部５９の両端に連成され、天井板１の外側で屈曲して起立縁３に沿って角端６側に延成された保持杆部５７，５７とを備えている。さらに、この保持杆部５７，５７の端縁を天井板１の内方へ略直角に屈曲して、嵌入突部５６，５６が形成されている。尚、この押え部材５５は、金属製の線材を屈曲加工し、板面方向で屈曲されてなる形状に形成されている。
【００５７】
本実施例５の天井板用押え機構にあっては、天井板１上に天井ボード２を配した後に、押え部材５５を、図１２のように、その面押え部５９の両端縁を支持溝６３，６３に係合し、嵌入突部５６，５６を外側から係合孔６１，６１に嵌入することにより、取り付けられる。すなわち、図１２（イ）のように、押え部材５５を、両端の嵌入突部５６，５６を面押え部５９に対して上方となるように傾けた状態で、面押え部５９の両端縁を支持縁部６２，６２の支持溝６３，６３に挿入する。その後、この面押え部５９を支軸として、両端の嵌入突部５６，５６を下方へ傾動させる。そして、図１２（ロ）のように、両端の嵌入突部５６，５６を、保持杆部５７，５７の屈曲部位の曲がりバネ作用により、外方へ拡げて、外側から係合孔６１，６１に嵌入する。このように押え部材５５は、面押え部５９の両端縁が支持溝６３，６３に係合され、嵌入突部５６，５６が係合孔６１，６１に嵌合されて、天井ボード２を上方から保持する状態で堅持されることとなり得る。
【００５８】
一方、この押え部材５５を取り外す場合には、両端の嵌入突部５６，５６を外方へ拡げて係合孔６１，６１から離脱させた後、面押え部５９を支持溝６３，６３から離脱させる。
【００５９】
このように本実施例５の天井板用押え機構にあっては、比較的容易かつ適正に、押え部材５５の取り付け作業及び取り外し作業を行うことができ、高い作業効率を発揮し得るものである。また、押え部材５５を、天井ボード２の保持状態で堅持できることから、非人為的な力により該天井ボード２がズレることもなく、比較的長期にわたって安定して保持することができる。したがって、上述した実施例１と同様、押え部材４５の取り付け及び取り外し作業の作業効率に優れると共に、天井ボード２の保持作用も高く、該天井ボード２の断熱性を充分に発揮できるという効果を奏する。
【実施例６】
【００６０】
実施例６の天井板用押え機構として、図１３に示される構成が提案される。この実施例６の構成は、上述した実施例５の構成と異なり、支持縁部を係止縁部の角端側に配設し、これに応じて押え部材を変えたものである。尚、上述した実施例５と共通する部分には同じ符号を付して説明を省略する。
【００６１】
天井板１には、図１３（ロ）のように、角部５の両側の起立縁３，３に、略円形の係合孔６１，６１が形成された係止縁部６０，６０が突成されており、該係止縁部６０，６０の角端６側に、支持溝６３，６３が形成された支持縁部６２，６２が突成されている。尚、係止縁部６０，６０と支持縁部６２，６２とは、夫々に近接し、かつ、角部５の両側で、それぞれが角端６から等距離となる位置に設けられている。
【００６２】
また、押え部材６５は、図１３（イ）のように、略直線形状に形成され、その両端縁で支持溝６３，６３に係合される面押え部６９を備え、該面押え部６９の両端に連成され、天井板１の外側で屈曲して起立縁３に沿って角端６と反対側に延成された保持杆部６７，６７を備えている。さらに、この保持杆部６７，６７の端縁を天井板１の内方へ略直角に屈曲して、嵌入突部６６，６６が形成されている。尚、この押え部材６５は、金属製の線材を屈曲加工し、板面方向で屈曲されてなる形状に形成されている。
【００６３】
この本実施例６の天井板用押え機構にあっても、上述した実施例５と同様に、押え部材６５を取り付け及び取り外しすることができる。すなわち、天井板１上に天井ボード２を配した後に、押え部材６５を、両端の嵌入突部６６，６６を面押え部５９に対して上方となるように傾け、面押え部６９の両端縁を支持溝６３，６３に挿入する。そして、この面押え部６９を支軸として、両端の嵌入突部６６，６６を下方へ傾動させ、該嵌入突部５６，５６を外方へ拡げて、外側から係合孔６１，６１に嵌入する。こうして、押え部材６５は、天井ボード２を上方から保持する状態で堅持されることとなり得る。このような本実施例６の構成にあっても、上述した実施例５と同様の作用効果を発揮することができ得る。
【００６４】
このような実施例６にあって、押え部材を、一方の保持杆部だけを上方へ傾斜する形状とする構成とすることもできる。例えば、図１４のように、押え部材６５ａは、一方の保持杆部６７ａが、面押え部６９の両端から角端６と反対側へ屈曲すると共に、上方へ傾斜するように形成されてなるものである。すなわち、この押え部材６５ａは、同一平面上に形成されていない。この押え部材６５ａを取り付ける場合には、面押え部６９及び保持杆部６７を天井ボード２の上面に沿って、該保持杆部６７の嵌入突部６６を外側から係合孔６１に嵌入するようにスライドさせ、面押え部６９の両端縁を支持溝６３，６３に挿入する。この時、保持杆部６７ａは上方に傾斜しており、該保持杆部６７ａから連成する嵌入突部６６ａは、係合孔１１の上方に位置する（図１４（ロ））。その後、この保持杆部６７ａを外側へ拡げつつ（図１４（イ））、下方へ傾動させて（図１４（ロ））、嵌入突部６６ａを係合孔１１に外側から嵌入する。このように、押え部材６５ａは、一方の保持杆部６７ａを下方へ傾動する弾性変形と、外側へ拡げる曲がりバネ作用とにより、係止縁部６０，６０間に差し渡すように取り付けることができる。かかる構成によっても、上述した実施例５と同様に、取り付け及び取り外し作業の作業効率に優れると共に、天井ボード２の保持作用も高く、該天井ボード２の断熱性を充分に発揮できるという効果を奏する。
【実施例７】
【００６５】
実施例７の天井板用押え機構として、図１５、図１６に示される構成が提案される。尚、上述した実施例１と共通する部分には同じ符号を付して説明を省略する。
【００６６】
天井板１には、図１６（ロ）のように、角部５の両側に、起立縁３に沿って長方形状とした係合孔７１，７１を形成した係止縁部７０，７０が、該起立縁３，３から突成されている。この係止縁部７０，７０及び係合孔７１，７１は、それぞれ両側で、角端６から等距離となる位置に設けられている。尚、係合孔７１，７１は、その孔下辺が、天井板１上に配設された天井ボード２の上面位置に比して低い高さ位置となるように、形成されている。これにより、後述する押え部材７５は、その面押え板部７４，７４により、該天井ボード２を上方から押さえつけるようにして保持する。
【００６７】
押え部材７５は、図１５のように、一枚の金属製板材を屈曲加工することにより形成されてなり、天井板１の角部５の起立縁３に沿った保持板縁７７，７７を備えた面押え板部７４，７４を、上方に突出するＵ形湾曲突部７３の両側の側腕部７２，７２に夫々連成し、各保持板縁７７，７７に係合孔７１，７１に嵌入する嵌入突部７６，７６を夫々突設してなるものである。ここで、両側の面押え板部７４，７４は、板面方向に沿って形成され、当該押え部材７５が取り付けられた場合に、その板面で面支持し押さえつけて保持できるようになっている。
【００６８】
このような押え部材７５を、天井ボード２を天井板１上に配した後、天井板１の係止縁部７０，７０間に取り付ける（図１６）。押え部材７５のＵ形湾曲突部７３を、その両側の側腕部７２，７２間を狭くするように内方へ弾性変形させることにより、両側の面押え板部７４，７４の嵌入突部７６，７６の間隔を狭くする。この状態で、両側の係合孔７１，７１に嵌入突部７６，７６を嵌入するようにして、Ｕ形湾曲突部７３を復元させる。これにより、嵌入突部７６，７６と係合孔７１，７１とが嵌合され、かつ、各面押え板部７４，７４の保持板縁７７，７７が係止縁部７０，７０の内面に当接し、この嵌合状態を保持する。ここで、Ｕ形湾曲突部７３は、板バネとして働くようになっている。このように、押え部材７５が係止縁部７０，７０間に差し渡されるようにして取り付けることにより、天井板１上に配された天井ボード２を、押え部材７５の面押え板部７４，７４により上方から面支持する。これにより、天井ボード２を、天井板１上に保持した状態で堅持できる。
【００６９】
一方、押え部材７５を取り外す場合には、Ｕ形湾曲突部７３を内方へ弾性変形させて、両側の嵌入突部７６，７６の間隔を狭め、係合孔７１，７１から離脱させる。
【００７０】
このように本実施例７の天井板用押え機構にあっては、押え部材７５のＵ形湾曲突部７３の板バネ作用により、当該押え部材７５を取り付ける作業と取り外す作業とを、比較的容易かつ適正に行うことができる。すなわち、天井ボード２を天井板１上に保持する作業と、保持状態を解消する作業との作業効率が向上する。また、押え部材７５は、面押え板部７４，７４により天井ボード２を面支持していることから、該天井ボード２の保持状態を安定的に堅持でき、天井ボード２がズレることもない。したがって、上述した実施例１と同様、押え部材４５の取り付け及び取り外し作業の作業効率に優れると共に、天井ボード２の保持作用も高く、該天井ボード２の断熱性を充分に発揮できるという効果を奏する。
【実施例８】
【００７１】
実施例８の天井板用押え機構として、図１７に示される構成が提案される。この実施例８の構成は、上述した実施例７の構成に対して、Ｕ形湾曲突部を異なる形状としたものである。尚、上述した実施例７と共通する部分には同じ符号を付して説明を省略する。
【００７２】
この実施例８にあっては、天井板１を、上述の実施例７と同様の係止縁部７０，７０が形成されているものを用いている。
【００７３】
押え部材８５は、図１７のように、天井板１の角部５の起立縁３に沿った板状の保持板縁８７，８７を備えた面押え板部８４，８４を、該天井板１の内方へ突出するＵ形湾曲突部８３に夫々連成し、各保持板縁８７，８７に係合孔７１，７１に嵌入する嵌入突部８６，８６を夫々突設してなるものである。ここで、Ｕ形湾曲突部８３は、それぞれ金属製の板材を屈曲加工して形成されてなり、その両側の両側の側腕部８２，８２の下縁に、面押え板部８４，８４が接合されている。尚、面押え板部８４，８４は、板面方向に沿って形成され、当該押え部材８５が取り付けられた場合に、その板面で面支持し押さえつけて保持できるようになっている。
【００７４】
この押え部材８５を、天井ボード２を天井板１上に配した後、係止縁部７０，７０間に取り付ける。押え部材８５のＵ形湾曲突部８３を、その両側の側腕部８２，８２間を狭くするように内方へ弾性変形させる。これにより、両側の嵌入突部８６，８６の間隔を狭める。この状態で、両側の係合孔７１，７１に嵌入突部８６，８６を嵌入するようにして、Ｕ形湾曲突部８３を復元させる。これにより、嵌入突部８６，８６と係合孔７１，７１とが嵌合され、かつ、各面押え板部８４，８４の保持板縁８７，８７が係止縁部７０，７０の内面に当接し、この嵌合状態を保持する。ここで、Ｕ形湾曲突部８３は、板バネとして働くものとなっている。このように、押え部材８５が係止縁部７０，７０間に差し渡されるようにして取り付けることにより、天井板１上に配された天井ボード２を、押え部材８５の面押え板部８４，８４により上方から面支持する。これにより、天井ボード２を、天井板１上に保持した状態で堅持できる。
【００７５】
この本実施例８にあっても、押え部材８５のＵ形湾曲突部８３の板バネ作用により、当該押え部材８５を取り付ける作業と取り外す作業とを、容易かつ効率的に行うことができる。また、押え部材８５は、天井ボード２を面押え板部８４，８４により面支持していることから、該天井ボード２の保持状態を安定して堅持できる。このように、上述した実施例７と同様の作用効果を発揮できる。
【００７６】
上述した実施例１〜８にあっては、天井ボード２にグラスウールを用いるようにしたものを例示しているが、その他に、岩綿板やプラスターボードや石膏ボード等を用いることも可能である。ここで、岩綿板やプラスターボードや石膏ボード等のように、板厚方向へ圧縮弾性変形しない硬い材料を用いる場合には、係合孔を、その孔下端の高さ位置が、天井板１上に配設された天井ボード２の上面位置とほぼ等しい高さ位置となるように設ける。これにより、硬い材料の天井ボード２にあっても天井板１に適切に保持することができる。
【図面の簡単な説明】
【００７７】
【図１】実施例１の天井板用押え機構による、天井ボード２の保持状態を示す角部５の（イ）平面図、及び（ロ）側面図である。
【図２】押え部材１５を係止縁部１０，１０に取り付ける過程を表す説明図である。
【図３】実施例１の、他の構成の押え部材１５ａによる、天井ボード２の保持状態を示す角部５の（イ）平面図と、（ロ）押え部材１５の側面図である。
【図４】実施例１の、他の構成の押え部材１５ｂによる、天井ボード２の保持状態を示す角部５の（イ）平面図、及び（ロ）側面図である。
【図５】実施例２の天井板用押え機構による、天井ボード２の保持状態を示す角部５の（イ）平面図、及び（ロ）押え部材２５の取り付け方法を表す説明図である。
【図６】実施例３の天井板用押え機構による、天井ボード２の保持状態を示す角部５の（イ）平面図、及び（ロ）側面図である。
【図７】実施例３の、他の構成の押え部材３５ａによる、天井ボード２の保持状態を示す角部５の（イ）平面図、及び（ロ）側面図である。
【図８】実施例３の、さらに他の構成の押え部材３５ｂによる、天井ボード２の保持状態を示す角部５の平面図である。
【図９】実施例４の天井板用押え機構による、天井ボード２の保持状態を示す角部５の（イ）平面図、及び（ロ）側面図である。
【図１０】押え部材４５を係止縁部１０，１０に取り付ける過程を表す説明図である。
【図１１】実施例５の天井板用押え機構による、天井ボード２の保持状態を示す角部５の（イ）平面図、及び（ロ）側面図である。
【図１２】押え部材５５を係止縁部６０，６０に取り付ける過程を表す説明図である。
【図１３】実施例６の天井板用押え機構による、天井ボード２の保持状態を示す角部５の（イ）平面図、及び（ロ）側面図である。
【図１４】実施例６の、他の構成の押え部材６５ａの取り付け状態を説明する（イ）平面図、及び（ロ）側面図である。
【図１５】実施例７の天井板用押え機構の、押え部材７５の（イ）平面図、（ロ）側面図である。
【図１６】実施例７の天井板用押え機構による、天井ボード２の保持状態を示す角部５の（イ）平面図、及び（ロ）側面図である。
【図１７】実施例８の天井板用押え機構による、天井ボード２の保持状態を示す角部５の（イ）平面図、及び（ロ）側面図である。
【図１８】天井板用吊持杆ｆによる天井板１の組み付け状態を示す斜視図である。
【符号の説明】
【００７８】
１  天井板
２  天井ボード
３  起立縁（側縁）
５  角部
６  角端
１０，３０，５０，６０，７０  係止縁部
１１，３１，５１，６１，７１  係合孔
１４  指操作部
１５，２５，３５，４５，５５，６５，７５，８５  押え部材
１６，２６，３６，４６，５６，６６，７６，８６  嵌合突部
１７，２７，３７，４７  嵌合保持部
１９、３２  Ｕ形屈曲部
２０  面押え部
５２  屈曲部
５７，６７  保持杆部
６２  支持縁部
６３  支持溝
７３，８３  Ｕ形湾曲突部
７４，８４  面押え板部
７７，８７  保持板部
【図１】
2006144395.tif 000003
【図２】
2006144395.tif 000004
【図３】
2006144395.tif 000005
【図４】
2006144395.tif 000006
【図５】
2006144395.tif 000007
【図６】
2006144395.tif 000008
【図７】
2006144395.tif 000009
【図８】
2006144395.tif 000010
【図９】
2006144395.tif 000011
【図１０】
2006144395.tif 000012
【図１１】
2006144395.tif 000013
【図１２】
2006144395.tif 000014
【図１３】
2006144395.tif 000015
【図１４】
2006144395.tif 000016
【図１５】
2006144395.tif 000017
【図１６】
2006144395.tif 000018
【図１７】
2006144395.tif 000019
【図１８】
2006144395.tif 000020